(57)【特許請求の範囲】
【請求項１】
携帯通信機の充電端子を充電器に電気的に接触させて携帯通信機の充電を行う携帯通信機の充電構造において、
一対の端子用切り欠きと一対のボタンを有し、基板が定着されるケースと、
前記携帯通信機が前記充電器に装着されていない場合には前記ケースに収容し、前記携帯通信機が前記充電器に装着される場合には前記端子用切り欠きの各々から突出して前記携帯通信機の充電端子に電気的に接触して充電を行うためのコイルバネ式の一対の充電用端子を備え、
前記コイルバネ式の充電用端子の各々は、一端が前記基板に固定される固定部分と、前記固定部分の他端に形成され且つ前記基板に接触するコイル部分と、前記コイル部分と前記基板の接触点を支点として撓みを生成する逆Ｖ字撓み部分と、前記コイル部分と反対側の逆Ｖ字撓み部分に直角形状の角が丸になるように形成される接触部分と、前記逆Ｖ字撓み部分の傾斜部分に一体に形成されるプレートとから構成され、
前記携帯通信機が前記充電器に装着しない場合には前記プレートが前記ボタンを押し上げ、前記携帯通信機が前記充電器に装着する場合には前記携帯通信機が前記ボタンを押し下げ、押し下げられた前記ボタンにより前記プレートが押し下げられて、前記逆Ｖ字撓み部の開き角度が大きくなり、前記充電用端子の各々の接触部分が前記ケースの前記端子用切り欠きの各々から突出して前記携帯通信機の充電端子に接触して充電を行うことを特徴とする携帯通信機の充電構造。
【請求項２】
前記ボタンにリングが設けられることを特徴とする、請求項１に記載の携帯通信機の充電構造。
【請求項３】
前記ケースの前記端子用切り欠きにブラシを付けることを特徴とする、請求項１に記載の携帯通信機の充電構造。
【発明の詳細な説明】
【０００１】
【産業上の利用分野】
本発明は携帯通信機の充電構造に関する。特に、本発明は、誤操作防止、充電端子部分の保護を行うための携帯通信機の充電構造に関する。
【０００２】
【従来の技術】
従来技術として、実開平３−１２５５５号公報に記載されるように、充電効率の劣化を防止するために移動局のオフセット時に充電端子を保護カバーで覆う例がある。
図６は本発明の前提となる充電器と携帯通信機本体の充電状態を示す図である。なお、全図を通して同一の構成要素には同一の番号、符号を付して説明を行う。本図に示すように、充電器１は、携帯通信機本体２の装着により、携帯通信機本体２への充電を行う。
図７は図６における充電器１の概略構造を示す斜視図である。本図に示すように、充電器１にはフック１１が設けられ、フック１１は、携帯通信機本体２を充電器１にて充電させる時、携帯通信機本体２の着脱を行わせ、充電器１と携帯通信機本体２を確実に取り付け、充電時に携帯通信機本体２が充電器１から外れるのを防ぐ。
【０００３】
さらに、充電器１には２つの充電用端子１２が設けられ、充電用端子１２は、コイルバネ式の端子であり、携帯通信機本体２の装着前は、充電器１の外側に突出し露出している。
図８は図６における携帯通信機本体２の概略構造を示す斜視図である。本図に示す携帯通信機本体２は、図６の携帯通信機本体２の裏面を表し、その端面にフック受け部２１が設けられ、フック受け部２１は凹形状をなしフック１１と対向し、充電器１の装着時にフック１１を受ける。
【０００４】
さらに、携帯通信機本体２には２つの充電端子２２が設けられ、充電端子２２は充電器１の充電用端子１２とそれぞれ対向し、充電器１の装着時に、充電器１の充電用端子１２にそれぞれ電気的に接続される。
図９は図７における充電器１の分解斜視図である。本図に示すように、充電器１のケース１０には１つのフック用切り欠き１１Ａ、２つの端子用切り欠き１２Ａが設けられる。
【０００５】
フック用切り欠き１１Ａはフック１１を突出させるための切り欠きであり、端子用切り欠き１２Ａは充電用端子１２を突出させるための切り欠きである。
ケース１０には、携帯通信機本体２が装着される側と反対側に、基板１３がネジ１５により接合され、基板１３にはフック１１、２つの充電用端子１２が取り付けられ、さらにネジ１５のネジ孔１６が設けられる。
【０００６】
ケース１０と基板１３の接合時に、ケース１０のフック用切り欠き１１Ａ、端子用切り欠き１２Ａからフック１１、充電用端子１２が突出し、露出する。
充電用端子１２は、コイルバネ式であり、充電器１に携帯通信機本体２が装着時に、携帯通信機本体２により押下される。この押下時に、バネの反発力で、充電用端子１２と携帯通信機本体２の充電端子２２の電気的接触が確実になる。
【０００７】
さらに、ケース１７は、ケース１０にネジ１８で接合され、ネジ１８のネジ孔１９を有し、ケース１０に取り付けた基板１３を覆い、充電端子１２を、その接触部分を除き、収容する。
図１０は図７の線Ｂ１−Ｂ１についての断面図である。本図（ａ）に示すように、携帯通信機本体２が充電器１に装着する前には、充電用端子１２は、コイルバネ式の充電用端子１２の接触部分が充電器１のケース１０から突出し露出している。
【０００８】
コイルバネ式の充電用端子１２の各々は、一端が基板１３に固定される固定部分１２１と、固定部分１２１の他端に形成され且つ基板１３に接触するコイル部分１２２と、コイル部分１２２と基板１３の接触点を支点として撓みを生成する直線撓み部分１２３と、コイル部分１２２と反対側の直線撓み部分１２３に直角形状の角が丸になるように形成される接触部分１２４とから構成される。
【０００９】
つまり、ケース１０と基板１３の接合時で、携帯通信機本体２が充電器１に装着する前には、各充電用端子１２の接触部分１２４がケース１０の端子用切り欠き１２Ａから突出し、露出する。
本図（ｂ）に示すように、携帯通信機本体２が充電器１のケース１０に装着されると、充電用端子１２の接触部分１２４が携帯通信機本体２の充電端子２２により直接押下される。この押下時に、充電用端子１２の直線撓み部分１２３が撓み、コイル１２２が収縮し、コイル１２２、直線撓み部１２３にバネの反発力が発生し、このバネの反発力により、充電用端子１２と携帯通信機本体２の充電端子２２の電気的に接触が確保される。
【００１０】
【発明が解決しょうとする課題】
しかしながら、上記携帯通信機の充電構造では、充電用端子１２の接触部分１２４が常に露出しているため、充電機能のショート等の誤動作が生じ、さらに、充電用端子１２の部分に横方向からの力が加わると変形、破損などが生じ、充電に支障を招くという問題があった。
【００１１】
したがって、本発明は上記問題点に鑑みて、充電機能の誤動作、充電用端子の変形、破損の防止を可能にする携帯通信機の充電構造を提供することを目的とする。
【００１２】
【課題を解決するための手段】
本発明は前記問題点を解決するために、携帯通信機の充電端子を充電器に電気的に接触させて携帯通信機の充電を行う携帯通信機の充電構造において、一対の端子用切り欠きと一対のボタンを有し、基板が定着されるケースと、前記携帯通信機が前記充電器に装着されていない場合には前記ケースに収容し、前記携帯通信機が前記充電器に装着される場合には前記端子用切り欠きの各々から突出して前記携帯通信機の充電端子に電気的に接触して充電を行うためのコイルバネ式の一対の充電用端子を備え、前記コイルバネ式の充電用端子の各々は、一端が前記基板に固定される固定部分と、前記固定部分の他端に形成され且つ前記基板に接触するコイル部分と、前記コイル部分と前記基板の接触点を支点として撓みを生成する逆Ｖ字撓み部分と、前記コイル部分と反対側の逆Ｖ字撓み部分に直角形状の角が丸になるように形成される接触部分と、前記逆Ｖ字撓み部分の傾斜部分に一体に形成されるプレートとから構成され、前記携帯通信機が前記充電器に装着しない場合には前記プレートが前記ボタンを押し上げ、前記携帯通信機が前記充電器に装着する場合には前記携帯通信機が前記ボタンを押し下げ、押し下げられた前記ボタンにより前記プレートが押し下げられて、前記逆Ｖ字撓み部の開き角度が大きくなり、前記充電用端子の各々の接触部分が前記ケースの前記端子用切り欠きの各々から突出して前記携帯通信機の充電端子に接触して充電を行うことを特徴とする携帯通信機の充電構造を提供する。
【００１３】
この手段により、コイルの収縮、逆Ｖ字撓み部分の撓みの反発力により、携帯通信機の充電用端子と充電器の充電用端子の電気的接触を確保することが可能になる。
さらに、充電用端子の接触部分をケースに容易に収容することが可能になる。
さらに、携帯通信機が充電器に装着されていない場合にはケースに充電用端子の接触部分を収容し、携帯通信機が充電器に装着される場合には端子用切り欠きから充電用端子の接触部分が突出することが可能になる。
さらに、充電機能のショート等の誤動作を防止でき、さらに、充電用端子１２の部分に横方向からの力が加わると変形、破損などを防止できるようになった。
【００１５】
好ましくは、前記ボタンにリングが設けられる。この手段により、ケースのガイドリブから脱落するのを防止することが可能になる。
【００１６】
好ましくは、前記ケースの前記端子用切り欠きにブラシを付ける。この手段により、携帯通信機の充電器への装着時に、充電用端子がケースから突出し、露出する時に、洗浄を行い、汚れによる劣化、埃等の付着によるショートを防止することが可能になる。
【００１８】
【発明の実施の形態】
以下、本発明の実施の形態について図面を参照して説明する。
図１は本発明に係る携帯通信機の充電構造の概略を示す斜視図である。本図に示すように、図７と比較して、充電器１に携帯通信機本体２が装着されていない場合には、充電器１では、後述する充電用端子３２が端子用切り欠き１２Ａから突出せず、露出しない。
【００１９】
さらに、充電器１には２つのボタン１１１が設けられ、ボタン１１１は、端子用切り欠き１２Ａの両側にそれぞれ位置し、携帯通信機本体２の充電器１への装着時に、携帯通信機本体２により押下される。
図２は図１における充電器１の分解斜視図である。本図に示すように、図９と比較して、ケース１０には２つのガイドリブ１１３が設けられ、ガイドリブ１１３は、ボタン１１１をそれぞれ嵌合するための案内を行う。
【００２０】
ボタン１１１にはリング１１２が設けられ、リング１１２は、ボタン１１１の脱落防止機能を果たすものであり、携帯通信機本体２が装着されていない時に、ボタン１１１がケース１０のガイドリブ１１３から外れないようにする。
基板１３には２つの充電用端子３２が設けられる。
【００２１】
ケース１０と基板１３の接合時に、従来と同様にケース１０のフック用切り欠き１１Ａからフック１１が突出し、露出するが、従来と異なり、充電器１に携帯通信機本体２が装着されていない場合には、端子用切り欠き１２Ａから充電用端子３２の、後述する接触部分３２４が突出せず、露出しないようにケース１０、１７内に収納されている。
【００２２】
充電用端子３２の各々は、コイルバネ式であり、プレート１１４と一体構造になっている。プレート１１４は、細長の板であり、長手方向の２箇所で、充電用端子３２とそれぞれ結合し、携帯通信機本体２の充電器１への装着時にボタン１１１と連動して、ケース１０、１７に収容されている充電用端子３２の接触部分３２４を端子用切り欠き１２Ａから突出させ、露出させるために使用される。
【００２３】
すなわち、充電器１に携帯通信機本体２が装着されると、携帯通信機本体２によりボタン１１１が押下され、プレート１１４に力が作用し、充電用端子３２がケース１０のフック用切り欠き１１Ａから突出し、露出し、携帯通信機本体２の充電端子２２と電気的に接触する。
充電器１から携帯通信機本体２が脱着されると、プレート１１４によりボタン１１１が逆方向に押下される。すなわち、ボタン１１１にかかる力がなくなり、バネの反発力により、突出し、露出していた充電用端子３２がケース１０、１７に収容される。
【００２４】
図３は携帯通信機本体２が装着していない場合の充電用端子３２を示す図１の線Ａ１−Ａ１、線Ａ２−Ａ２についての断面図である。
本図（ａ）は、線Ａ１−Ａ１の断面を示し、本図（ｂ）は線Ａ２−Ａ２の断面を示す。
本図（ａ）に示すように、コイルバネ式の充電用端子３２の各々は、一端が基板１３に固定される固定部分３２１と、固定部分３２１の他端に形成され且つ基板１３に接触するコイル部分３２２と、コイル部分３２２と基板１３の接触点を支点として撓みを生成する逆Ｖ字撓み部分３２３と、コイル部分３２２と反対側の逆Ｖ字撓み部分３２３に直角形状の角が丸になるように形成される接触部分３２４とから構成される。
【００２５】
携帯通信機本体２が充電器１に装着しない場合には、引き角度αを有する逆Ｖ字撓み部分３２３により、各充電用端子３２の接触部分３２４がケース１０の端子用切り欠き１２Ａから突出せず、露出しないようにケース１０、ケース１７への収容が行われる。
このように、逆Ｖ字形状を設けることにより、充電用端子３２の接触部分３２４をケース１０、１７に容易に収容することが可能になる。
【００２６】
さらに、充電用端子３２の逆Ｖ字撓み部分３２３にはその傾斜部分にプレート１１４が固定される。
本図（ｂ）に示すように、携帯通信機本体２の充電器１への装着前には、プレート１１４がボタン１１１の下部と接触することにより、ボタン１１１がケース１０の外側に押し上げられ、突出し、露出するようにしてある。
【００２７】
図４は携帯通信機本体２が装着する場合の充電用端子３２を示す図１の線Ａ１−Ａ１、線Ａ２−Ａ２についての断面図である。
本図（ｂ）に示すように、携帯通信機本体２の充電器１への装着時に、携帯通信機本体２により、ケース１０の外側に突出し露出したボタン１１１が押下される。
【００２８】
本図（ａ）に示すように、ボタン１１１の押下と共に、プレート１１４が押下され、充電用端子３２の逆Ｖ字撓み部分３２３の逆Ｖ字角度が開き、この開きに伴って、充電用端子３２の接触部分３２４が端子用切り欠き１２Ａから突出し、露出する。
【００２９】
突出し露出する充電用端子３２の接触部分３２４が携帯通信機本体２の充電端子２２に当たり、逆Ｖ字撓み部分３２３の撓み、コイル部分３２２の収縮によりバネの反発力が発生する。このバネの反発力により、携帯通信機本体２の充電端子２２と充電用端子３２の接触部分３２４の電気的接触が確保される。
さらに、携帯通信機本体２を充電器１の装着から外すと、ボタン１１１にかかっていた荷重がなくなり、バネ回復力により、充電用端子３２の接触部分３２４がケース１０、１７の中に収納される。
【００３０】
したがって、本発明によれば、携帯通信機本体２が充電器１に装着されていない場合には各充電用端子３２の接触部分３２４がケース１０の端子用切り欠き１２Ａから突出せず、露出せず、携帯通信機本体２が充電器１に装着される場合に、各充電用端子３２の接触部分３２４がケース１０の端子用切り欠き１２Ａから突出し、露出することにより、従来のように、充電機能の誤操作が生じず、さらに、横方向からの外力により、充電用端子３２の変形、破損を防ぐことが可能になる。
【００３１】
図５は図２におけるケース１０の変形例を示す部分図である。本図に示すように、図２と比較して、ケース１０には、端子用切り欠き１２Ａに代わり、ブラシ付きの端子用切り欠き１２Ｂが設けられ、ブラシ付きの端子用切り欠き１２Ｂは、携帯通信機本体２の充電器１への装着時に、充電用端子３２がケース１０から突出し、露出する時に、洗浄を行い、汚れによる劣化、埃等の付着によるショートを防止する。
【００３２】
【発明の効果】
以上説明したように、本発明によれば、ケースに端子用切り欠きを設け、充電用端子は、携帯通信機が充電器に装着されていない場合にはケースに収容され、携帯通信機が充電器に装着される場合には端子用切り欠きから突出して携帯通信機の充電端子に電気的に接触して充電を行うようにしたので、充電機能のショート等の誤動作がなくなり、さらに、充電用端子の部分に横方向からの力が加わることがなくなり、無用な変形、破損などを防止できるようになった。
【００３３】
さらに、ケースの端子用切り欠きにブラシを付けるようにしたので、携帯通信機の充電器への装着時に、充電用端子がケースから突出し、露出する時に、洗浄を行い、汚れによる劣化、埃等の付着によるショートを防止することが可能になる。
【図面の簡単な説明】
【図１】本発明に係る携帯通信機の充電構造の概略を示す斜視図である。
【図２】図１における充電器１の分解斜視図である。
【図３】携帯通信機本体２が装着していない場合の充電用端子３２を示す図１の線Ａ１−Ａ１、線Ａ２−Ａ２についての断面図である。
【図４】携帯通信機本体２が装着する場合の充電用端子３２を示す図１の線Ａ１−Ａ１、線Ａ２−Ａ２についての断面図である。
【図５】図２におけるケース１０の変形例を示す部分図である。
【図６】本発明の前提となる充電器と携帯通信機本体の充電状態を示す図である。
【図７】図６における充電器１の概略構造を示す斜視図である。
【図８】図６における携帯通信機本体２の概略構造を示す斜視図である。
【図９】図７における充電器１の分解斜視図である。
【図１０】図７の線Ｂ１−Ｂ１についての断面図である。
【符号の説明】
１…充電器
２…携帯通信機本体
１０、１７…ケース
１１…フック
１１Ａ…フック用切り欠き
１２Ａ…端子用切り欠き
１２Ｂ…ブラシ付きの端子用切り欠き
１３…基板
１５、１８…ネジ
１６、１９…ネジ孔
２１…フック受け部
２２…充電端子
３２…充電用端子
１１１…ボタン
１１２…リング
１１３…ガイドリブ
１１４…プレート
３２１…固定部分
３２２…コイル部分
３２３…逆Ｖ字撓み部分
３２４…接触部分
【図１】
0003612493.tif 000002
【図２】
0003612493.tif 000003
【図３】
0003612493.tif 000004
【図４】
0003612493.tif 000005
【図５】
0003612493.tif 000006
【図６】
0003612493.tif 000007
【図７】
0003612493.tif 000008
【図８】
0003612493.tif 000009
【図９】
0003612493.tif 000010
【図１０】
0003612493.tif 000011